(57)【要約】      （修正有）【課題】細かな挟持が可能な細幅の挟持工具において、挟持圧力を集中して挟持対象物に傷を付けることがなく、挟持作用を実現できる工具を提供する。【解決手段】基方を把手とし先方を挟持作用部１２とした一対の挟持部材を交差させ、交差箇所を枢結し、挟持作用部を嘴状の細幅三角形状に形成した工具本体と、工具本体と別部材（樹脂製）で形成して工具本体の挟持作用部に選択装着する三角形挟持体２と長方形挟持体で構成し、工具本体の挟持面１２１に挟持体を装着する位置決め凹部１２３と螺孔１２４を穿設し、挟持体２の裏面に位置決め凹部に対応する突部及び螺孔に対応する皿透孔を設け、三角形挟持体２は嘴状の細幅三角形状に倣う外形とし、長方形挟持体は、長方形の挟持面を備え、裏面に挟持作用部を嵌合装着する溝部を設けてなる。【選択図】図２
0003210832.tif 000002
【実用新案登録請求の範囲】
【請求項１】
基方を把手とし先方を挟持作用部とした一対の挟持部材を交差させ、交差箇所を枢結し、挟持作用部を嘴状の細幅三角形状に形成した工具本体と、工具本体と別部材で形成して工具本体の挟持作用部に選択装着する三角形挟持体と長方形挟持体で構成され、工具本体の挟持面に挟持体を装着する位置決め凹部とビス止用の螺孔を穿設し、各挟持体の裏面に前記位置決め凹部対応する突部及び螺孔に対応する皿透孔を設けてなると共に、三角形挟持体は挟持作用部を嘴状の細幅三角形状に倣う外形とし、長方形挟持体は、長方形の挟持面を備え、裏面に挟持作用部を嵌合装着する溝部を設けてなることを特徴とする挟持工具。
【請求項２】
工具本体が合金鋼製で両挟持体が樹脂製である請求項１記載の挟持工具。
【請求項３】
螺孔及び皿透孔を、位置決め凹部及び突部に設けてなる請求項１又は２記載の挟持工具。
【請求項４】
三角挟持体における突部の両側に、挟持作用部の側面に係止する係止突縁を設けてなる請求項３記載の挟持工具。
【請求項５】
全長が１５ｃｍ以下の小型工具である請求項２乃至４記載の何れかの挟持工具。
【考案の詳細な説明】
【技術分野】
【０００１】
本考案は、ペンチやプライヤーなどの挟持工具に関するものである。
【背景技術】
【０００２】
ペンチやプライヤーなどの挟持工具は、基方を把手とし先方を挟持作用部とした一対の挟持部材を交差させ、交差箇所を枢結して構成されるもので、挟持作用部の形状を使用目的対応した幅広形状や細幅形状を採用し、枢結部分も挟持作用部の開口角度を変更するために、一方の挟持部材に枢結軸位置を変更可能とした長孔を採用している工具（プライヤー）も周知である。
【０００３】
また種々の目的で挟持作用部における挟持面に別部材で構成した挟持部を設けた工具も知られている。例えば特許文献１には、軽量合金製工具において挟持部を鋼製挟着板を採用しており、特許文献２には、挟持対象物を傷つけないように挟持部に装着する樹脂製の部材が開示されている。
【先行技術文献】
【特許文献】
【０００４】
【特許文献１】特開平８−２７６３６８号公報。
【特許文献２】意匠登録第８２８３０８号公報。
【考案の概要】
【考案が解決しようとする課題】
【０００５】
従前の一般的な挟持工具においては、挟持作用部の形状はその使用目的に応じて決定され、必ずしも汎用性に優れているとは言い難い。また前記した挟持作用部の挟圧面に別部材（挟持部）を装着する例は、当該工具の挟圧面の形状に倣って設けられている。
【０００６】
特に挟持作用部を細幅とした工具においては、挟持対象物との挟持当接面積が小さく、挟持対象物に大きな圧力が加わる結果、挟持対象物に傷を付けてしまう虞がある。
【０００７】
そこで本考案は、細かな挟持が可能とした細幅の挟持工具において、挟持圧力を集中させずに挟持作用も実現できる新規な挟持工具を提案したものである。
【課題を解決するための手段】
【０００８】
本考案の請求項１記載に係る挟持工具は、基方を把手とし先方を挟持作用部とした一対の挟持部材を交差させ、交差箇所を枢結し、挟持作用部を嘴状の細幅三角形状に形成した工具本体と、工具本体と別部材で形成して工具本体の挟持作用部に選択装着する三角形挟持体と長方形挟持体で構成され、工具本体の挟持面に挟持体を装着する位置決め凹部とビス止用の螺孔を穿設し、各挟持体の裏面に前記位置決め凹部対応する突部及び螺孔に対応する皿透孔を設けてなると共に、三角形挟持体は挟持作用部を嘴状の細幅三角形状に倣う外形とし、長方形挟持体は、長方形の挟持面を備え、裏面に挟持作用部を嵌合装着する溝部を設けてなることを特徴とするものである。
【０００９】
而して工具本体の挟持作用部の挟持面側に三角形挟持体を当接してネジ止めして装着固定すると、挟持部分が嘴状の細幅三角形状となり、細かい部分の挟持に適する工具となり、三角形挟持体に変えて長方形挟持体を装着固定すると、三角形挟持体より幅広の挟持面を備えることになり、挟持面積が大きい対象に対して適する工具となる。
【００１０】
また本考案の請求項２記載に係る挟持工具は、特に工具本体が合金鋼製で両挟持体が樹脂製としたもので、樹脂面での挟持となり挟持対象物を傷付けない。
【００１１】
本考案の請求項３記載に係る挟持工具は、特に螺孔及び皿透孔を、位置決め凹部及び突部に設けてなるもので、挟持体における厚みのある箇所での螺子固定となり、挟持体が樹脂製の場合に、挟持体の強度低下が生じ難い。
【００１２】
本考案の請求項４記載に係る挟持工具は、三角挟持体における突部の両側に、挟持作用部の側面に係止する係止突縁を設けてなるもので、位置決めに際して係止突縁が挟持作用部の側面に当接することで、幅方向のズレが防止され、正確な位置に装着固定される。
【考案の効果】
【００１３】
本考案の構成は上記のとおりで、工具本体の異質材（特に軟質材）の挟持体を装着すると共に、挟持面形状を選択できて、挟持対象物に対応する工具とすることができたものである。
【図面の簡単な説明】
【００１４】
【図１】本考案の実施形態を示す全体斜視図（三角形挟持体装着）。
【図２】同三角形挟持体の装着説明図で（イ）は装着後、（ロ）は装着前を示す。
【図３】同三角形挟持体の斜視図で（イ）は裏面（ロ）は表面を示す。
【図４】同長方形挟持体の装着状態を示す（イ）は斜視図（ロ）は側面図。
【図５】同三角形挟持体の斜視図で（イ）は裏面（ロ）は表面を示す。
【考案を実施するための形態】
【００１５】
次に本考案の実施形態について説明する。実施形態に示した挟持工具は本考案の特徴を最も効果的に実現する全長１５ｃｍ以下の軽量小型のプライヤーに適用したもので、工具本体１と、三角形挟持体２と、長方形挟持体３と、ビス４で構成される。
【００１６】
工具本体１は、合金鋼製（クロームバナジウム鋼）で基方を把手１１とし先方を挟持作用部１２とした一対の挟持部材を交差させ、交差箇所を通常のプライヤー同様に、周面切欠の枢結軸１３と瓢箪型の枢結軸孔１４で開口角度を二段階に変更できる枢結構造としたものである。
【００１７】
特に挟持作用部１２は、嘴状の細幅三角形状に形成し、挟持面１２１の先方に位置決め溝１２２を設けると共に、基方に適宜幅の位置決め凹部１２３を形成し、前記位置決め凹部１２３に底面にビス止用の螺孔１２４を穿設したものである。
【００１８】
三角挟持体２及び長方形挟持体３は、樹脂製（ジュラコン製）で挟持作用部１２に装着固定するもので各々の裏面には、前記した位置決め溝１２２と対応する突条２１，３１、及び位置決め凹部１２３に対応する突部２２，３２、及び螺孔１２４に対応する皿透孔２３，３３を設けてなる。
【００１９】
三角形挟持体２は、その外形が挟持作用部１２の嘴状細幅三角形状に倣う形状（外周が一致する形状）として三角形の挟持面２４を備えると共に、特に突部２２の両側を外方に張り出して、挟持作用部１２の側面に係止する係止突縁２５を設けたものである。
【００２０】
長方形挟持体３は、挟持作用部１２の挟持面１２１及び側面全体を覆う形状で、長方形の挟持面３４を備え、裏面に挟持作用部１２の全体を嵌合装着する溝部３５を設けたもので、溝部３５の底面３６に前記突条３１、突部３２、皿透孔３３を設けているものである。
【００２１】
而して工具本体１の挟持作用部１２の挟持面１２１に、三角形挟持体２の突条２１を位置決め溝１２２に嵌合すると共に、突部２２を位置決め凹部１２３に突部２２を嵌合し、且つ係止突縁２５を挟持作用部１２の側面に当接して、三角形挟持体２を装着し、ビス４を以て固定する。
【００２２】
そうすると挟持部分が、嘴状の細幅三角形状の挟持作用部１２の表面をその形状のまま樹脂製被覆を施したと同様となり、細かい部分の挟持を柔らかなタッチで行うことができる工具となる。
【００２３】
また三角形挟持体２に変えて長方形挟持体３を、挟持作用部１２の表面（挟持面１２１）及び側面全体を覆うように装着し、ビス４を以て固定すると、長方形挟持体３と挟持作用部１２が一体化し、長方形の樹脂挟持面３４を備えることになり、広い挟持面３４による挟持を行うことができる工具となる。
【００２４】
このように複数の挟持体２，３を備え、挟持作用部１２に選択装着することで、挟持面の形状及び材質が相違する工具とすることができたものである。
【符号の説明】
【００２５】
１      工具本体
１１    把手
１２    挟持作用部
１２１    挟持面
１２２    位置決め溝
１２３    位置決め凹部
１２４    螺孔
１３    枢結軸
１４    枢結軸孔
２      三角形挟持体
２１    突条
２２    突部
２３    皿透孔
２４    挟持面
２５    係止突縁
３      長方形挟持体
３１    突条
３２    突部
３３    皿透孔
３４    挟持面
３５    溝部
３６    底面
４      ビス
【図１】
0003210832.tif 000003
【図２】
0003210832.tif 000004
【図３】
0003210832.tif 000005
【図４】
0003210832.tif 000006
【図５】
0003210832.tif 000007